(57)【要約】【課題】複数の操作受付手段にて指定される処理条件のうち、適切な処理条件に従って画像の読み取りを行う。【解決手段】画像読取システムは、処理条件を指定する操作を受け付ける複数のＵＩデバイスを備えており、ＵＩデバイスが受け付けた操作によって指定された処理条件と、当該ＵＩデバイスを識別するＵＩ識別情報とを対応付けて記憶し、複数のＵＩデバイスのいずれかを識別するＵＩ識別情報が付加された用紙から当該ＵＩ識別情報を取得し、取得されたＵＩ識別情報と対応付けて記憶された処理条件に従って、用紙の画像を読み取る。【選択図】図１
2010109762.tif 000002
【特許請求の範囲】
【請求項１】
記録材の画像を読み取る処理の処理条件を指定する操作を受け付ける複数の操作受付手段と、
前記操作受付手段が受け付けた操作によって指定された処理条件と、当該操作受付手段を識別する識別情報とを対応付けて記憶する記憶手段と、
前記複数の操作受付手段のいずれかを識別する識別情報が付加された記録材から当該識別情報を取得する取得手段と、
前記取得手段によって取得された識別情報と対応付けて前記記憶手段に記憶された処理条件に従って、記録材の画像を読み取る読取手段と
を備えることを特徴とする読取装置。
【請求項２】
前記読取手段は、
第１の識別情報が付加された第１の記録材から前記取得手段によって当該第１の識別情報が取得されると、取得された当該第１の識別情報と対応付けて前記記憶手段に記憶された処理条件に従って、当該第１の記録材の後に続く記録材の画像を読み取り、
前記第１の識別情報とは異なる第２の識別情報が付加された第２の記録材から前記取得手段によって当該第２の識別情報が取得されると、取得された当該第２の識別情報と対応付けて前記記憶手段に記憶された処理条件に従って、当該第２の記録材の後に続く記録材の画像を読み取る
ことを特徴とする請求項１に記載の読取装置。
【請求項３】
前記操作受付手段は、画像を表示する表示領域を有し、
前記取得された識別情報が処理条件と対応付けて前記記憶手段に記憶されていない場合には、当該識別情報によって識別される操作受付手段の表示領域に、処理条件が指定されていないことを通知するメッセージを表示させる表示制御手段を備え、
前記読取手段は、前記取得された識別情報と前記処理条件とが対応付けて前記記憶手段に記憶されるまで、前記画像の読み取りを行わずに待機する
ことを特徴とする請求項１に記載の読取装置。
【請求項４】
操作者を識別する識別情報を入力して処理条件を指定する操作を受け付ける複数の操作受付手段と、
前記操作受付手段が受け付けた操作によって指定された処理条件と、当該操作によって入力された前記識別情報とを対応付けて記憶する記憶手段と、
前記操作者を識別する識別情報が付加された記録材から当該識別情報を取得する取得手段と、
前記取得手段によって取得された識別情報と対応付けて前記記憶手段に記憶された処理条件に従って、記録材の画像を読み取る読取手段と
を備えることを特徴とする読取装置。
【請求項５】
前記識別情報は、バーコード、無線タグ又は不可視トナーのいずれかによって前記記録材に付加される
ことを特徴とする請求項１又は４に記載の読取装置。
【請求項６】
処理条件を指定する操作を受け付ける複数の操作受付手段と、
前記操作受付手段が受け付けた操作によって指定された処理条件と、当該操作受付手段を識別する識別情報とを対応付けて記憶する記憶手段と、
前記複数の操作受付手段のいずれかを識別する識別情報が付加された記録材から当該識別情報を取得する取得手段と、
前記取得手段によって取得された識別情報と対応付けて前記記憶手段に記憶された処理条件に従って、記録材の画像を読み取り、当該画像に応じた画像データを出力する読取手段と、
前記取得手段によって取得された識別情報と対応付けて前記記憶手段に記憶された処理条件に従って、前記読取手段によって出力された画像データに応じた画像を記録材に形成する画像形成手段と
を備えることを特徴とする画像形成装置。
【請求項７】
コンピュータを、
操作受付手段が受け付けた操作によって指定された処理条件と、当該操作受付手段を識別する識別情報とを対応付けて記憶する記憶手段と、
処理条件を指定する操作を受け付ける複数の操作受付手段のいずれかを識別する識別情報が付加された記録材から当該識別情報を取得する取得手段と、
前記取得手段によって取得された識別情報と対応付けて前記記憶手段に記憶された処理条件に従って、記録材の画像を読取手段に読み取らせる読取制御手段
として機能させるためのプログラム。
【発明の詳細な説明】
【技術分野】
【０００１】
本発明は、読取装置、画像形成装置及びプログラムに関する。
【背景技術】
【０００２】
画像形成装置において、２つの操作パネルを用いてより多くの情報を提供する技術が提案されている。例えば、特許文献１には、プリンターからコピー機に拡張する場合に使用されなくなるプリンター用の操作パネルを副パネルとして利用し、この副パネルによって主パネルとは異なる情報の表示や操作入力を行う技術が開示されている。また、特許文献２には、操作画面用の表示部とは別に設けられた着脱可能なプレビュー画面用表示部に、画像読取部によって読み取られた画像データをプレビュー画像として表示する技術が開示されている。
【特許文献１】特開２００２−３３１７２４号公報
【特許文献２】特開２００６−１４２４４号公報
【発明の開示】
【発明が解決しようとする課題】
【０００３】
本発明は、複数の操作受付手段にて指定される処理条件のうち、適切な処理条件に従って画像の読み取りを行うことを目的とする。
【課題を解決するための手段】
【０００４】
請求項１に係る読取装置は、記録材の画像を読み取る処理の処理条件を指定する操作を受け付ける複数の操作受付手段と、前記操作受付手段が受け付けた操作によって指定された処理条件と、当該操作受付手段を識別する識別情報とを対応付けて記憶する記憶手段と、前記複数の操作受付手段のいずれかを識別する識別情報が付加された記録材から当該識別情報を取得する取得手段と、前記取得手段によって取得された識別情報と対応付けて前記記憶手段に記憶された処理条件に従って、記録材の画像を読み取る読取手段とを備えることを特徴とする。
【０００５】
請求項２に係る読取装置は、請求項１に記載の読取装置において、前記読取手段は、前記第１の識別情報が付加された第１の記録材から前記取得手段によって当該第１の識別情報が取得されると、取得された当該第１の識別情報と対応付けて前記記憶手段に記憶された処理条件に従って、当該第１の記録材の後に続く記録材の画像を読み取り、前記第１の識別情報とは異なる第２の識別情報が付加された第２の記録材から前記取得手段によって当該第２の識別情報が取得されると、取得された当該第２の識別情報と対応付けて前記記憶手段に記憶された処理条件に従って、当該第２の記録材の後に続く記録材の画像を読み取ることを特徴とする。
【０００６】
請求項３に係る読取装置は、請求項１に記載の読取装置において、前記操作受付手段は、画像を表示する表示領域を有し、前記取得された識別情報が処理条件と対応付けて前記記憶手段に記憶されていない場合には、当該識別情報によって識別される操作受付手段の表示領域に、処理条件が指定されていないことを通知するメッセージを表示させる表示制御手段を備え、前記読取手段は、前記取得された識別情報と前記処理条件とが対応付けて前記記憶手段に記憶されるまで、前記画像の読み取りを行わずに待機することを特徴とする。
【０００７】
請求項４に係る読取装置は、操作者を識別する識別情報を入力して処理条件を指定する操作を受け付ける複数の操作受付手段と、前記操作受付手段が受け付けた操作によって指定された処理条件と、当該操作によって入力された前記識別情報とを対応付けて記憶する記憶手段と、前記操作者を識別する識別情報が付加された記録材から当該識別情報を取得する取得手段と、前記取得手段によって取得された識別情報と対応付けて前記記憶手段に記憶された処理条件に従って、記録材の画像を読み取る読取手段とを備えることを特徴とする。
【０００８】
請求項５に係る読取装置は、請求項１又は４に記載の読取装置において、前記識別情報は、バーコード、無線タグ又は不可視トナーのいずれかによって前記記録材に付加されることを特徴とする。
【０００９】
請求項６に係る画像形成装置は、処理条件を指定する操作を受け付ける複数の操作受付手段と、前記操作受付手段が受け付けた操作によって指定された処理条件と、当該操作受付手段を識別する識別情報とを対応付けて記憶する記憶手段と、前記複数の操作受付手段のいずれかを識別する識別情報が付加された記録材から当該識別情報を取得する取得手段と、前記取得手段によって取得された識別情報と対応付けて前記記憶手段に記憶された処理条件に従って、記録材の画像を読み取り、当該画像に応じた画像データを出力する読取手段と、前記取得手段によって取得された識別情報と対応付けて前記記憶手段に記憶された処理条件に従って、前記読取手段によって出力された画像データに応じた画像を記録材に形成する画像形成手段とを備えることを特徴とする。
【００１０】
請求項７に係るプログラムは、コンピュータを、操作受付手段が受け付けた操作によって指定された処理条件と、当該操作受付手段を識別する識別情報とを対応付けて記憶する記憶手段と、処理条件を指定する操作を受け付ける複数の操作受付手段のいずれかを識別する識別情報が付加された記録材から当該識別情報を取得する取得手段と、前記取得手段によって取得された識別情報と対応付けて前記記憶手段に記憶された処理条件に従って、記録材の画像を読取手段に読み取らせる読取制御手段として機能させるためのものである。
【発明の効果】
【００１１】
請求項１に係る発明によれば、複数の操作受付手段にて指定される処理条件のうち、適切な処理条件に従って画像の読み取りを行うことができる。
請求項２に係る発明によれば、第１の識別情報が付加された第１の記録材の後に続く記録材については、当該第１の識別情報に対応する処理条件に従って画像の読み取りを行い、第２の識別情報が付加された第２の記録材の後に続く記録材については、当該第２の識別情報に対応する処理条件に従って画像の読み取りを行うことができる。
請求項３に係る発明によれば、記録材に付加されている識別情報が取得されたものの、当該識別情報に対応する処理条件が指定されていない場合に、処理条件の指定を促すことができる。
請求項４に係る発明によれば、操作者は、処理条件の指定に用いる操作受付手段の識別情報が付加された記録材を使用しなくても、自分が指定した処理条件に従って画像の読み取りを行わせることができる。
請求項５に係る発明によれば、識別情報を目立たないように記録材に付加させることができる。
請求項６に係る発明によれば、複数の操作受付手段にて指定される処理条件のうち、適切な処理条件に従って画像の複写を行うことができる。
請求項７に係る発明によれば、複数の操作受付手段にて指定される処理条件のうち、適切な処理条件に従って画像の読み取りを行うことができる。
【発明を実施するための最良の形態】
【００１２】
［構成］
図１は、本実施形態に係る画像読取システム１の構成を示す図である。同図に示すように、画像読取システム１は、複数の端末装置１０と画像形成装置２０とを備えている。各端末装置１０と画像形成装置２０とは、通信回線Ｎを介して接続されている。
【００１３】
（端末装置の構成）
次に、端末装置１０の構成について説明する。この端末装置１０は、読取装置の操作受付手段として機能するＵＩデバイスの一例である。図２は、端末装置１０の構成を示すブロック図である。同図に示すように、端末装置１０は、ＣＰＵ（Central Processing Unit）１１と、メモリ１２と、通信部１３と、記憶部１４と、操作部１５と、表示部１６とを備えている。ＣＰＵ１１は、メモリ１２又は記憶部１４に記憶されているプログラムを実行して各種の処理を行う。メモリ１２は、例えばＲＯＭ（Read Only Memory）とＲＡＭ（Random Access Memory）などを備えており、ＣＰＵ１１によって実行されるプログラムやデータなどを記憶する。通信部１３は、通信回線Ｎを介して接続された画像形成装置２０との通信を確立し、データの送受信を行う。記憶部１４は、例えばハードディスクであり、自装置に割り当てられたＵＩ識別情報などを記憶している。このＵＩ識別情報は、各々のＵＩデバイスを識別する識別情報である。操作部１５は、例えばキーボードとマウスであり、操作者の操作を受け付けて、その操作に応じた操作信号をＣＰＵ１１に入力する。操作部１５は、例えば画像形成装置２０にて行われるコピーやスキャンなどの処理の処理条件を設定する操作を受け付ける。表示部１６は、例えば画像を表示する表示領域を有する液晶ディスプレイであり、ＣＰＵ１１の制御に応じた画像を表示領域に表示する。
【００１４】
（画像形成装置の構成）
次に、画像形成装置２０の構成について説明する。この画像形成装置２０は、プリンター機能、スキャン機能、コピー機能などの複数の機能を有している。図３は、画像形成装置２０の構成を示すブロック図である。同図に示すように、画像形成装置２０は、ＣＰＵ２１と、メモリ２２と、通信部２３と、記憶部２４と、表示操作部２５と、画像読取部２６と、画像形成部２７とを備えている。この表示操作部２５は、上述した端末装置１０と同様に、読取装置の操作受付手段として機能するＵＩデバイスの一例である。また、メモリ２２は記憶手段の一例であり、ＣＰＵ２１は取得手段及び読取制御手段の一例であり、画像読取部２６は読取手段の一例である。つまり、この実施形態では、端末装置１０、画像形成装置２０の表示操作部２５、ＣＰＵ２１、メモリ２２及び画像読取部２６が協働して、読取装置として機能する。
【００１５】
ＣＰＵ２１は、メモリ２２又は記憶部２４に記憶されているプログラムを実行して、画像形成装置２０の各部を制御する。メモリ２２は、例えばＲＯＭとＲＡＭなどを備えており、ＣＰＵ２１によって実行されるプログラムやデータなどを記憶する。通信部２３は、通信回線Ｎを介して接続された端末装置１０との通信を確立し、データの送受信を行う。記憶部２４は、例えばハードディスクであり、表示操作部２５に割り当てられたＵＩ識別情報などを記憶している。このＵＩ識別情報は、上述したように各々のＵＩデバイスを識別する識別情報である。表示操作部２５は、例えば画像を表示する表示領域を有するタッチパネルであり、ＣＰＵ２１の制御に応じた画像を表示領域に表示するとともに、操作者の操作に応じた操作信号をＣＰＵ２１に入力する。表示操作部２５は、例えばコピーやスキャンなどの処理の処理条件を設定する操作を受け付ける。画像読取部２６は、例えばスキャナ装置であり、用紙の画像を読み取って、その画像に応じた画像データを出力する。この画像読取部２６は、セットされた用紙を下方から１枚ずつ順番に読取位置へ搬送する自動原稿送り部６１を備えている。画像形成部２７は、例えば電子写真方式で画像を形成するプリンター装置であり、画像読取部２６から出力された画像データ又は通信部２３によって受信された画像データに応じた画像を用紙に形成し、出力する。
【００１６】
（ヘッダ用紙）
ここで、画像読取システム１において使用されるヘッダ用紙について説明する。このヘッダ用紙は、端末装置１０や画像形成装置２０の表示操作部２５などのＵＩデバイス毎に予め用意されている。図４は、ヘッダ用紙の一例を示す図である。同図に示すように、ヘッダ用紙の右上端部には、各ＵＩデバイスのＵＩ識別情報が付加されている。このＵＩ識別情報は、イエロートナー等のいわゆる不可視トナーによって形成されている。この不可視トナーとは、視認性の低いトナーのことである。例えば、図４（ａ）のヘッダ用紙Ｈ１には、「ＵＩ００１」というＵＩ識別情報が付加されており、図４（ｂ）のヘッダ用紙Ｈ２には、「ＵＩ０１５」というＵＩ識別情報が付加されている。
【００１７】
［動作］
次に、画像読取システム１の動作について説明する。ここでは、操作者Ａが表示操作部２５を使用して原稿ＤＡをコピーするための操作を行っているときに、操作者Ｂが原稿ＤＢをスキャンするための操作を行いたい場合を想定する。また、画像形成装置２０の記憶部２４には、表示操作部２５に割り当てられた「ＵＩ００１」というＵＩ識別情報が記憶されており、操作者Ｂによって利用される端末装置１０の記憶部１４には、この端末装置１０に割り当てられた「ＵＩ０１５」というＵＩ識別情報が記憶されているものとする。
【００１８】
この場合、操作者Ａは、表示操作部２５のＵＩ識別情報が付加されたヘッダ用紙の上に原稿ＤＡの用紙を重ねて、画像読取部２６の自動原稿送り部６１にセットする。このヘッダ用紙及び原稿ＤＡの用紙は、いずれも記録材として利用される。この例では、表示操作部２５には「ＵＩ００１」というＵＩ識別情報が割り当てられているため、図４（ａ）に示した「ＵＩ００１」というＵＩ識別情報が付加されたヘッダ用紙Ｈ１の上に原稿ＤＡの用紙がセットされる。続いて、操作者Ａは、表示操作部２５を操作して、コピー処理条件を設定する操作を行う。一方、操作者Ｂは、操作者Ａによって表示操作部２５が使用されているので、表示操作部２５を使用してスキャン処理条件を設定する操作を行うことができない。そこで、操作者Ｂは、自分が利用している端末装置１０を使用して、スキャン処理条件を設定する操作を行う。この場合、操作者Ｂは、まず自分が利用する端末装置１０のＵＩ識別情報が付加されたヘッダ用紙の上に原稿ＤＢの用紙を重ねて、画像読取部２６の自動原稿送り部６１にセットする。上述したように、このヘッダ用紙及び原稿ＤＢの用紙は、いずれも記録材として利用される。この例では、操作者Ｂによって利用される端末装置１０には「ＵＩ０１５」というＵＩ識別情報が割り当てられているため、図４（ｂ）に示した「ＵＩ０１５」というＵＩ識別情報が付加されたヘッダ用紙Ｈ２の上に原稿ＤＢの用紙がセットされる。図５は、このようにして、ヘッダ用紙Ｈ１及び原稿ＤＡの用紙と、ヘッダ用紙Ｈ２及び原稿ＤＢの用紙とが自動原稿送り部６１にセットされた様子を示す図である。同図に示すように、自動原稿送り部６１においては、ヘッダ用紙Ｈ１→原稿ＤＡの用紙→ヘッダ用紙Ｈ２→原稿ＤＢの用紙という順番で用紙がセットされる。続いて、操作者Ｂは、自分が利用する端末装置１０のところへ移動し、端末装置１０の操作部１５を操作して、スキャン処理条件を設定する操作を行う。
【００１９】
（設定処理）
次に、処理条件を設定する設定処理について説明する。図６は、この設定処理を示すシーケンス図である。上述したように、操作者Ａは、画像形成装置２０の表示操作部２５を操作して、コピー処理条件を設定する。図７は、表示操作部２５に表示されるメニュー画面Ｗの一例を示す図である。操作者Ａは、表示操作部２５を使用して、このメニュー画面Ｗにおいて「コピー」を選択した後、コピー処理条件を設定する操作を行う。操作者Ａによってコピー処理条件を設定する操作が行われると、表示操作部２５はこの操作を受け付ける（ステップＳ１１）。つまり、表示操作部２５は、処理条件を指定する操作を受け付ける。続いて、ＣＰＵ２１は、記憶部２４に記憶されているＵＩ識別情報を読み出して、設定されたコピー処理条件とこのＵＩ識別情報とを対応付けてメモリ２２に記憶させる（ステップＳ１２）。つまり、メモリ２２は、表示操作部２５が受け付けた操作によって指定された処理条件と、表示操作部２５を識別する識別情報とを対応付けて記憶する。この例では、操作者Ａによって設定されたコピー処理条件と、記憶部２４に記憶されている「ＵＩ００１」というＵＩ識別情報とが対応付けられて、メモリ２２に記憶される。
【００２０】
また、上述したように、操作者Ｂは、端末装置１０の操作部１５を使用して、スキャン処理条件を設定する操作を行う。操作者Ｂによってスキャン処理条件を設定する操作が行われると、操作部１５はこの操作を受け付ける（ステップＳ１３）。つまり、端末装置１０は、処理条件を指定する操作を受け付ける。続いて、ＣＰＵ１１は、記憶部１４に記憶されているＵＩ識別情報を読み出して、設定されたスキャン処理条件とこのＵＩ識別情報とを対応付ける。そして、ＣＰＵ１１は、このスキャン処理条件及びＵＩ識別情報を通信部１３によって画像形成装置２０に送信する（ステップＳ１４）。この例では、操作者Ｂによって設定されたスキャン処理条件と、記憶部１４に記憶されている「ＵＩ０１５」というＵＩ識別情報とが対応付けられて、画像形成装置２０に送信される。処理条件及びＵＩ識別情報が送信されてくると、画像形成装置２０のＣＰＵ２１は、通信部２３によってこれらの情報を受信する（ステップＳ１５）。続いて、ＣＰＵ２１は、受信した処理条件とＵＩ識別情報とを対応付けて、メモリ２２に記憶させる（ステップＳ１６）。つまり、メモリ２２は、端末装置１０が受け付けた操作によって指定された処理条件と、端末装置１０を識別する識別情報とを対応付けて記憶する。この例では、操作者Ｂによって設定されたスキャン処理条件と、「ＵＩ０１５」というＵＩ識別情報とが対応付けられて、メモリ２２に記憶される。
【００２１】
（画像読取処理）
次に、画像形成装置２０にて行われる画像読取処理について説明する。図８は、この画像読取処理を示すフロー図である。上述のようにして、自動原稿送り部６１に用紙がセットされると、ＣＰＵ２１は、自動原稿送り部６１に用紙がセットされたことを検出する（ステップＳ１０１）。続いて、ＣＰＵ２１は、画像読取部２６によって、先頭の用紙の画像を読み取る（ステップＳ１０２）。この例では、図５に示したように用紙がセットされているため、一番下に置かれているヘッダ用紙Ｈ１の画像が読み取られる。続いて、ＣＰＵ２１は、読み取った画像からＵＩ識別情報を取得する（ステップＳ１０３）。つまり、ＣＰＵ２１は、複数のＵＩデバイスのいずれかを識別する識別情報が付加された記録材から当該識別情報を取得する。この例では、ヘッダ用紙Ｈ１に付加されている「ＵＩ００１」というＵＩ識別情報が取得される。続いて、ＣＰＵ２１は、取得したＵＩ識別情報に対応する処理条件があるか否かを判定する（ステップＳ１０４）。例えば、ＵＩ識別情報「ＵＩ００１」が処理条件と対応付けてメモリ２２に記憶されていない場合、ＣＰＵ２１は、取得したＵＩ識別情報に対応する処理条件がないと判定する（ステップＳ１０４：ＮＯ）。この場合、ＣＰＵ２１は、ＵＩ識別情報「ＵＩ００１」と処理条件とが対応付けてメモリ２２に記憶されるまで待機する。一方、この例では、上述した設定処理において、操作者Ａによって設定されたコピー処理条件とＵＩ識別情報「ＵＩ００１」とが対応付けてメモリ２２に記憶されている。この場合、ＣＰＵ２１は、取得したＵＩ識別情報に対応する処理条件があると判定し（ステップＳ１０４：ＹＥＳ）、処理条件を決定する（ステップＳ１０５）。
【００２２】
続いて、ＣＰＵ２１は、画像読取部２６によって、決定した処理条件に従って次の用紙の画像を読み取る（ステップＳ１０６）。つまり、ＣＰＵ２１は、上述したステップＳ１０３にて取得した識別情報と対応付けてメモリ２２に記憶された処理条件に従って、記録材の画像を読み取る。この例では、画像読取部２６により、操作者Ａによって設定されたコピー処理条件に従って原稿ＤＡの１枚目の用紙の画像が読み取られ、この画像に応じた画像データが出力される。そして、画像形成部２７は、このコピー処理条件に従って、画像読取部２６から出力された画像データに応じた画像を用紙に形成し、出力する。続いて、ＣＰＵ２１は、読み取った画像に、ステップＳ１０３にて取得したＵＩ識別情報とは異なるＵＩ識別情報が含まれているか否かを判定する（ステップＳ１０７）。この例では、上述したステップＳ１０６にて、ＵＩ識別情報が付加されていない原稿ＤＡの１枚目の用紙の画像が読み取られているため、ＣＰＵ２１は、異なるＵＩ識別情報は含まれていないと判定する（ステップＳ１０７：ＮＯ）。この場合、ＣＰＵ２１は、自動原稿送り部６１に次の用紙がセットされているか否かを判定する（ステップＳ１０８）。この例では、原稿ＤＡの２枚目の用紙がセットされているため、次の用紙がセットされていると判定され（ステップＳ１０８：ＹＥＳ）、上述したステップＳ１０６に戻る。そして、上述と同様にして、原稿ＤＡの２枚目以降の用紙の画像が順番に読み取られていく。このようにして、原稿ＤＡの全ての用紙の画像が読み取られると、その後のステップＳ１０６では、ヘッダ用紙Ｈ２の画像としてＵＩ識別情報「ＵＩ０１５」が読み取られる。この場合、ステップＳ１０７では、読み取った画像にステップＳ１０３にて取得したＵＩ識別情報とは異なるＵＩ識別情報が含まれていると判定され（ステップＳ１０７：ＹＥＳ）、上述したステップＳ１０３に戻る。
【００２３】
この場合、ステップＳ１０３では、ヘッダ用紙Ｈ２から読み取られたＵＩ識別情報「ＵＩ０１５」が取得される。続いて、ステップＳ１０４では、上述した設定処理において、ＵＩ識別情報「ＵＩ０１５」と操作者Ｂによって設定されたスキャン処理条件とが対応付けてメモリ２２に記憶されているため、取得したＵＩ識別情報に対応する処理条件があると判定され（ステップＳ１０４：ＹＥＳ）、続くステップＳ１０５では、このスキャン処理条件が決定される。続いて、ステップＳ１０６では、決定されたスキャン処理条件に従って、原稿ＤＢの１枚目の用紙の画像が読み取られる。そして、上述と同様にして、原稿ＤＢの２枚目以降の画像が順番に読み取られていく。つまり、ＣＰＵ２１は、第１の識別情報が付加された第１の用紙から当該第１の識別情報が取得されると、取得された当該第１の識別情報と対応付けてメモリ２２に記憶された処理条件に従って、当該第１の記録材の後に続く記録材の画像を読み取り、前記第１の識別情報とは異なる第２の識別情報が付加された第２の記録材から当該第２の識別情報が取得されると、取得された当該第２の識別情報と対応付けてメモリ２２に記憶された処理条件に従って、当該第２の記録材の後に続く記録材の画像を読み取る。このようにして、原稿ＤＢの全ての用紙の画像が読み取られると、自動原稿送り部６１にセットされた用紙がなくなるため、ステップＳ１０８において、次の用紙がセットされていないと判定され（ステップＳ１０８：ＮＯ）、この画像読取処理が終了する。
【００２４】
また、この実施形態によれば、例えばヘッダ用紙Ｈ１及び原稿ＤＡの用紙と、ヘッダ用紙Ｈ２及び原稿ＤＢの用紙とが入れ替えられたとしても、適切な処理条件で原稿の画像が読み取られる。このとき、画像読取部２６は、ヘッダ用紙Ｈ２から取得されたＵＩ識別情報が処理条件と対応付けてメモリ２２に記憶されていない場合には、取得されたＵＩ識別情報と処理条件とが対応付けてメモリ２２に記憶されるまで、画像の読み取りを行わずに待機する。
【００２５】
［変形例］
以上が実施形態の説明であるが、この実施形態の内容は以下のように変形し得る。また、以下の各変形例を適宜組み合わせてもよい。
（変形例１）
上述した実施形態において、画像形成装置２０には、複数の表示操作部２５が設けられていてもよい。この場合、各々の表示操作部２５には互いに異なるＵＩ識別情報が割り当てられ、表示操作部２５毎にヘッダ用紙が予め用意される。そして、操作者は、自分が操作する表示操作部２５のＵＩ識別情報が付加されたヘッダ用紙の上に原稿の用紙を重ねて、自動原稿送り部６１にセットすればよい。
【００２６】
（変形例２）
上述した実施形態では、ＵＩ識別情報がヘッダ用紙だけに付加されていたが、ＵＩ識別情報がヘッダ用紙と原稿の用紙との両方に付加されていてもよい。あるいは、ヘッダ用紙の上に原稿の用紙が重ねられ、さらに原稿の用紙の上にフッタ用紙が重ねられて、自動原稿送り部６１にセットされてもよい。このフッタ用紙には、上述したヘッダ用紙と同様のＵＩ識別情報が付加されている。この場合、ヘッダ用紙とフッタ用紙の間にある原稿の用紙を用いた処理が１つの処理として扱われる。
【００２７】
（変形例３）
上述した実施形態では、ヘッダ用紙を使用していたが、必ずしもヘッダ用紙を使用する必要はない。例えば、原稿の１枚目の先端部にＵＩ識別情報が付加されていてもよい。この場合、画像形成装置２０のＣＰＵ２１は、画像読取部２６によって、原稿の１枚目の画像を最高スペックで読み取り、その後に設定される処理条件に合わせて加工するか、原稿の１枚目の先端部に付加されているＵＩ識別情報だけを読み取って、処理条件が設定された後に、設定された処理条件に従って原稿の１枚目の残りの部分の画像を読み取る。
また、この場合、原稿の１枚目の画像を読み取っても、ＵＩ識別情報が取得されなかった場合には、読み取った画像を表すプレビュー画像を表示操作部２５の表示領域又は端末装置１０の表示部１６の表示領域に表示させて、操作者に確認を促してもよい。
【００２８】
（変形例４）
上述した実施形態において、取得したＵＩ識別情報によって識別されるＵＩデバイスを用いて処理条件が設定されていない場合には、そのＵＩデバイスの表示領域に、処理条件が設定されていないことを通知する警告メッセージを表示させてもよい。ここでは、ヘッダ用紙から「ＵＩ０１５」というＵＩ識別情報が取得されたものの、このＵＩ識別情報によって識別される端末装置１０から処理条件が送信されていない場合を想定する。この場合、画像形成装置２０のＣＰＵ２１は、取得したＵＩ識別情報が処理条件と対応付けてメモリ２２に記憶されていないため、取得したＵＩ識別情報に対応する処理条件がないと判定する。そして、ＣＰＵ２１は、通信部２３によって、「ＵＩ０１５」というＵＩ識別情報が割り当てられた端末装置１０に上述した警告メッセージを送信する。警告メッセージが表示されてくると、端末装置１０のＣＰＵ１１は、通信部１３によってこの警告メッセージを受信し、表示部１６の表示領域に表示させる。つまり、この変形例において、ＣＰＵ２１は、表示制御手段として機能し、取得した識別情報が処理条件と対応付けてメモリ２２に記憶されていない場合には、当該識別情報によって識別されるＵＩデバイスの表示領域に、処理条件が指定されていないことを通知するメッセージを表示させる。このとき、画像形成装置２０の画像読取部２６は、取得した識別情報と処理条件とが対応付けてメモリ２２に記憶されるまで、画像の読み取りを行わずに待機する。
【００２９】
（変形例５）
上述した実施形態において、ＵＩ識別情報は、不可視トナーによって用紙に付加されていたが、一次元バーコードやＱＲコード（登録商標）、あるいは無線タグによって用紙に付加されていてもよい。この場合、画像読取部２６は、これらのバーコードや無線タグを読み取って、識別情報を取得する。
【００３０】
（変形例６）
上述した実施形態では、ＵＩデバイスを識別するＵＩ識別情報が用いられていたが、このＵＩ識別情報に代えて、操作者を識別するユーザ識別情報が用いられてもよい。この場合、ヘッダ用紙は、各々の操作者のユーザ識別情報が付加されて、操作者毎に予め用意される。そして、操作者は、自分のユーザ識別情報が付加されたヘッダ用紙の上に原稿の用紙を重ねて自動原稿送り部６１にセットした後、任意のＵＩデバイスを操作して、自分のユーザ識別情報を入力し、処理条件を設定する。このとき、ＵＩデバイスは、操作者を識別する識別情報を入力して処理条件を指定する操作を受け付ける。そして、画像形成装置２０のメモリ２２は、ＵＩデバイスが受け付けた操作によって設定された処理条件と、当該操作によって入力されたユーザ識別情報とを対応付けて記憶し、ＣＰＵ２１は、操作者を識別するユーザ識別情報が付加されたヘッダ用紙から当該ユーザ識別情報を取得し、画像読取部２６によって、取得したユーザ識別情報と対応付けてメモリ２２に記憶された処理条件に従って、用紙の画像を読み取る。
また、この場合、画像形成装置２０がユーザ認証機能を有している場合には、ログインした操作者を識別するユーザ識別情報と、上述にて取得したユーザ識別情報とが一致しない場合には、表示操作部２５の表示領域に警告メッセージを表示して、上述した画像読取処理を中止してもよい。
【００３１】
（変形例７）
上述した実施形態では、画像形成装置２０が１台である場合を例に挙げて説明したが、画像形成装置２０が複数台あってもよい。この場合、用紙がセットされた画像形成装置２０は、上述した画像形成装置２０と同様の処理を行い、それ以外の画像形成装置２０は、上述した端末装置１０と同様の処理を行う。
また、この場合、必ずしも各画像形成装置２０において同じ処理条件が設定できるわけではない。例えば、モノクロに対応する画像形成装置２０では、カラーに関する処理条件の設定を受け付ける画面が用意されていない。そこで、各種の画面データを記憶するＵＩサーバ装置を設け、画像形成装置２０がこのＵＩサーバ装置から必要な画面を表示するための画面データを取得するようにしてもよい。
【００３２】
（変形例８）
上述した実施形態において、端末装置１０，画像形成装置２０にて行なわれる各動作は、それぞれ、単一のハードウェア資源によって実現されてもよいし、複数のハードウェア資源の協働によって実現されてもよい。また、端末装置１０のＣＰＵ１１，画像形成装置２０のＣＰＵ２１により実行される処理は、単一のプログラムによって実現されてもよいし、複数のプログラムの組み合わせによって実現されてもよい。さらに、端末装置１０のＣＰＵ１１，画像形成装置２０のＣＰＵ２１によって実行される各プログラムは、磁気テープや磁気ディスクなどの磁気記録媒体、光ディスクなどの光記録媒体、光磁気記録媒体、半導体メモリなどの、コンピュータ装置が読み取り可能な記録媒体に記憶された状態で提供し得る。また、このプログラムを、インターネットなどの通信回線経由でダウンロードさせることも可能である。
【図面の簡単な説明】
【００３３】
【図１】実施形態に係る画像読取システムの構成を示す図である。
【図２】上記画像読取システムの端末装置の構成を示すブロック図である。
【図３】上記画像読取システムの画像形成装置の構成を示すブロック図である。
【図４】上記画像読取システムにて使用されるヘッダ用紙の一例を示す図である。
【図５】上記画像形成装置に用紙がセットされた様子を示す図である。
【図６】上記画像読取システムの設定処理を示すシーケンス図である。
【図７】上記画像形成装置にて表示されるメニュー画面の一例を示す図である。
【図８】上記画像形成装置の画像読取処理を示すフロー図である。
【符号の説明】
【００３４】
１０…端末装置、１１…ＣＰＵ、１２…メモリ、１３…通信部、１４…記憶部、１５…操作部、１６…表示部、２０…画像形成装置、２１…ＣＰＵ、２２…メモリ、２３…通信部、２４…記憶部、２５…表示操作部、２６…画像読取部、２７…画像形成部。
【図１】
2010109762.tif 000003
【図２】
2010109762.tif 000004
【図３】
2010109762.tif 000005
【図４】
2010109762.tif 000006
【図５】
2010109762.tif 000007
【図６】
2010109762.tif 000008
【図７】
2010109762.tif 000009
【図８】
2010109762.tif 000010